(57)【要約】      （修正有）【課題】簡素な機構により駐車車両の不正な退出を阻止することができるとともに、経年劣化による誤動作を防止することができ、更には現地での細密な感度調整作業を省略することができる駐車装置を安価に提供すること。【解決手段】駐車スペースに車両が駐車されたことを検知する検知センサ１１０と、該検知センサ１１０による検知に基づき起立して車両の退出を阻止するロック板１２０とを備えており、更に、ロック板１２０を横寝状態から車両の底面に当接状態となるまで起立方向に付勢するバネ具１３０を備えていることを特徴としている。【選択図】図２
2005207165.tif 000002
【特許請求の範囲】
【請求項１】
駐車スペースに車両が駐車されたことを検知する検知センサと、該検知センサによる検知に基づき起立して前記車両の退出を阻止するロック板とを備えた駐車ロック装置において、
前記ロック板を横寝状態から前記車両の底面に当接状態となるまで起立方向に付勢するバネ具を備えていることを特徴とする駐車ロック装置。
【請求項２】
検知センサによる検知に基づき所定時間の計時を実行するタイマーと、
油圧により伸縮可能なシリンダーと、
該シリンダーをロック板に連結する連結具と、
前記シリンダーを油圧制御する油圧制御装置とを備えており、
該油圧制御装置は、前記計時による所定時間の計時の終了に応じて、計時終了時におけるシリンダーの伸張長さを保持することを特徴とする請求項１記載の駐車ロック装置。
【請求項３】
油圧制御装置は、シリンダーを収縮することによりロック板を当接状態から横寝状態とすることを特徴とする請求項２記載の駐車ロック装置。
【請求項４】
シリンダーには、収縮用空間と伸張用空間とが形成されており、
油圧制御装置は、油の吐出により前記シリンダーを伸張し又は収縮させるための油圧ポンプと、油圧ポンプと前記収縮用空間とをつなぐ油路に配設されるとともに、前記収縮用空間への油の流れは許容するが収縮用空間からの油の流出は阻止する伸張阻止用パイロットチェック弁と、油圧ポンプと前記伸張用空間とをつなぐ油路に配設されるとともに、前記伸張用空間への油の流れは許容するが伸張用空間からの油の流出は阻止する収縮阻止用パイロットチェック弁と、前記油圧ポンプと前記伸張用空間とをつなぐ油路から分岐して油タンクに連絡する油路に配設されるとともに、前記伸張阻止用パイロットチェック弁を開弁させるパイロット圧を発生する絞りとを備えていることを特徴とする請求項２又は３に記載の駐車ロック装置。
【発明の詳細な説明】
【技術分野】
【０００１】
本発明は、各駐車スペース毎に設置される装置に係り、特にロック板を起立させて駐車車両をロックする機構を有する装置、すなわち、駐車ロック装置に関する。
【背景技術】
【０００２】
駐車装置には、一台ごとに駐車車両を管理するタイプのものと、入出庫の場所を限定することにより複数台まとめて駐車車両を管理するタイプのものがある。一台ごとに駐車車両を管理するタイプの代表例としては、横寝状態にあったロック板が起立することにより車両の底面に当接して、料金精算前の駐車車両の不正な退出を阻止するものがある（特許文献１参照）。
【０００３】
ここで、かかる特許文献１に記載の駐車ロック装置によれば、ロック板の起立および横寝は油圧により、すなわち、ロック板と連結する油圧シリンダーの伸張および収縮により行うように構成されている。また、ロック板の駐車車両の底面への当接をリミットスイッチが検知して、油圧シリンダーの伸張を停止するように構成されている。
【０００４】
このように構成されているが故に、かかる特許文献１に記載の駐車装置においては、ロック板を当接状態にしっかり保持することができ、料金精算前の駐車車両の不正な退出を阻止することができるのである。
【特許文献１】特開平１１−６２３０２号公報
【発明の開示】
【発明が解決しようとする課題】
【０００５】
しかしながら、リミットスイッチによりロック板の駐車車両の底面への当接を検知する方式であると、リミットスイッチが確実に動作するように、リミットスイッチの取付位置を現場において細密に調整する必要が生じる。なぜなら、もしリミットスイッチが確実に動作しなければ、油圧シリンダーが伸張しつづけ駐車車両の底面が傷ついてしまうからである。すなわち、従来技術の駐車ロック装置においては、設置作業が煩雑であるという問題点があった。
【０００６】
また、せっかく調整した後においても、リミットスイッチが使用に伴い経年劣化すると、感度が悪化したり破損する危険性があるという問題点があった。すなわち、保守点検作業を定期的、且つ確実に実行しないと、車両が傷ついてしまう可能性があった。
【０００７】
更に、リミットスイッチによりロック板の駐車車両の底面への当接を検知する方式とすると、その分、機構が複雑となるため、装置が高価となってしまうという問題点があった。
【０００８】
そこで、上記問題点を鑑みて案出されたのが本発明であって、本発明は、簡素な機構により駐車車両の不正な退出を阻止することができるとともに、経年劣化による誤動作を防止することができ、更には現地での細密な感度調整作業を省略することができる駐車装置を安価に提供することを目的としている。
【課題を解決するための手段】
【０００９】
（請求項１）
かかる目的を達成するために請求項１記載の駐車ロック装置は、駐車スペースに車両が駐車されたことを検知する検知センサと、該検知センサによる検知に基づき起立して前記車両の退出を阻止するロック板とを備えており、更に、前記ロック板を横寝状態から前記車両の底面に当接状態となるまで起立方向に付勢するバネ具を備えている。
かかる構成を有する請求項１記載の駐車ロック装置によれば、検知センサにより駐車スペースに車両が駐車されたことが検知されると、バネ具により、ロック板が付勢されて、横寝状態から車両の底面に当接状態となるまで起立させられる。
（請求項２）
請求項２記載の駐車ロック装置は、請求項１記載の駐車ロック装置において、検知センサによる検知に基づき所定時間の計時を実行する計時と、油圧により伸縮可能なシリンダーと、該シリンダーをロック板に連結する連結具と、前記シリンダーを油圧制御する油圧制御装置とを備えており、該油圧制御装置は、前記計時による所定時間の計時の終了に応じて、計時終了時におけるシリンダーの伸張長さを保持するように構成されている。
かかる構成を有する請求項２記載の駐車ロック装置によれば、請求項１記載の駐車ロック装置と同様に作用する上、計時により、検知センサによる検知に基づき所定時間の計時が実行され、かかる計時が終了すると、油圧制御装置の一構成要素であるモーターが停止し、シリンダーが計時終了時の伸張長さに保持される。すなわち、バネ具により付勢されたロック板は当接状態において保持される。
（請求項３）
請求項３記載の駐車ロック装置は、請求項２記載の駐車ロック装置において、油圧制御装置は、シリンダーを収縮することによりロック板を当接状態から横寝状態とするように構成されている。
かかる構成を有する請求項３記載の駐車ロック装置によれば、請求項２記載の駐車ロック装置によれば、シリンダーが収縮することにより、バネ具によるバネ付勢により駐車車両の底面に当接状態とされているロック板が横寝状態に戻される。
（請求項４）
請求項４記載の駐車ロック装置は、請求項２又は３に記載の駐車ロック装置において、シリンダーには、収縮用空間と伸張用空間とが形成されており、油圧制御装置は、油の吐出により前記シリンダーを伸張し又は収縮させるための油圧ポンプと、油圧ポンプと前記収縮用空間とをつなぐ油路に配設されるとともに、前記収縮用空間への油の流れは許容するが収縮用空間からの油の流出は阻止する伸張阻止用パイロットチェック弁と、油圧ポンプと前記伸張用空間とをつなぐ油路に配設されるとともに、前記伸張用空間への油の流れは許容するが伸張用空間からの油の流出は阻止する収縮阻止用パイロットチェック弁と、前記油圧ポンプと前記伸張用空間とをつなぐ油路から分岐して油タンクに連絡する油路に配設されるとともに、前記伸張阻止用パイロットチェック弁を開弁させるパイロット圧を発生させる絞りとを備えている。
かかる構成を有する請求項４記載の駐車ロック装置によれば、請求項２又は３に記載の駐車ロック装置と同様に作用する上、油圧ポンプ１６２により矢印Ｘ方向へ油が吐出された場合に、絞り抵抗によって伸張阻止用パイロットチェック弁１６３を開弁させるパイロット圧を立てつつ、収縮阻止用パイロットチェック弁１６４を介してシリンダー１５０の伸張用空間１５１ａへ吐出される油を還流する。
【発明の効果】
【００１０】
（請求項１）
請求項１記載の駐車ロック装置によれば、バネ具により、車両の底面に当接して車両の退出を阻止するロック板が横寝状態から当接状態となるまで起立するように、バネ付勢される。従って、当接状態を検知する検知センサ（例えば、リミットスイッチや光学検知センサ、近接検知センサ）を設けなくてもよくなり、ロック機構（退出防止機構）を簡素な機構により実現することができるとともに、設置時における現地での細密な検知センサの感度調整作業を省略することができるという効果がある。更には、経年劣化により誤動作してしまうことを防止することができるという効果もある。
（請求項２）
請求項２記載の駐車ロック装置によれば、請求項１記載の駐車ロック装置の奏する効果に加え、車両の駐車を検知する検知センサによる検知に基づいて実行される計時による計時が終了すると、油圧制御装置の一構成要素であるモーターが停止し、シリンダーが計時終了時の伸張長さに、バネ具により付勢されたロック板は当接状態において保持されるので、ロック板の収縮を防止して、車両の発進等による不正な退出を阻止することができるという効果がある。
（請求項３）
請求項３記載の駐車ロック装置によれば、請求項２記載の駐車ロック装置の奏する効果に加え、シリンダーが収縮することにより起立状態から横寝状態となるようにされているので、シリンダーを単にロック板の保持に用いるのみならず、バネ付勢により起立状態となっているロック板を確実に横寝状態に戻すことができるという効果がある。すなわち、一のシリンダーに二つの機能を付与することができる。
（請求項４）
請求項４記載の駐車ロック装置によれば、請求項２又は３に記載の駐車ロック装置の奏する効果に加え、バネ具１３０のバネ付勢力によるピストン１５１の伸張作用に伴う収縮用空間１５１ａの拡大に応じた分の油を供給することができる程度の低圧力とすることができ、ひいては、ピストン１５１に作用する推力を極めて小さくすることができるという効果がある。
【発明を実施するための最良の形態】
【００１１】
以下、添付図面を参照して本発明の最良な実施の形態の例（実施例）について説明する。勿論、下記実施例は、本発明の最良な実施例を示すに過ぎず、本発明の技術的範囲は、下記実施例そのものに何ら限定されるものではない。
【００１２】
各図に示すように、本発明の一実施例である駐車ロック装置１００は、検知センサ１１０と、ロック板１２０と、バネ具１３０と、連結具１４０と、シリンダー１５０と、油圧制御装置１６０とによって構成されている。検知センサ１１０、バネ具１３０、連結具１４０の一部、シリンダー１５０、及び油圧制御装置１６０は、箱体１７０に収容されている。
【００１３】
検知センサ１１０は、駐車スペース５００内に設置されており、駐車スペース５００内に車両１０００が駐車されたことを検知する。本実施例においては、ロック板１２０の周辺に設置されている。なぜなら、駐車スペース５００の枠線５０１に沿って設ける場合に比べて、安価に検知センサ１１０を設置することができるからである。勿論、ロック板１２０の周辺以外に検知センサ１１０を設けるようにしても良い。なお、検知センサ１１０としては、例えば、光電センサ（光電スイッチともいう。）が用いられる。
【００１４】
ロック板１２０は、駐車スペース５００内に設置された車両１０００の不正（料金未支払い）な退出を阻止するためのものであり、通常は鉄、アルミ等の金属材（合金材も含む）により構成されている。かかるロック板１２０は、駐車がされていない場合には、駐車面に対して平行に横寝状態となっているが、検知センサ１１０により車両１０００の駐車が検知された場合には、横寝状態から起立して車両１０００の底面１０１０に当接（接触）するようになっている。
【００１５】
バネ具１３０は、特許請求の範囲に記載のバネ材の一種であり、コイルバネ（コイル形状のバネ材）により構成されている。このバネ具１３０は、弾性体の一種であるから弾性性質を有し、常時、ロック板１２０を起立状態となるように付勢している。これにより、ロック板１２０を横寝状態から起立させることができる。勿論、コイルバネ以外のバネ、例えば、板バネにより構成されても良い。
【００１６】
連結具１４０は、ロック板１２０に対してシリンダー１５０（より具体的には、シリンダー１５０を構成するピストン１５３を結合したピストンロッド１５２の先端部）を連結するためのものであり、連結ロッド１４１と、この連結ロッド１４１に連結された連結カム１４２とによって構成されている。連結ロッド１４１は、ロック板１２０の一端辺に固定されており、この連結ロッド１４１にバネ具１３０が配設されている。連結カム１４２にはシリンダー１５０が連結されている。
【００１７】
連結カム１４２には、シリンダー１５０（具体的には、ピストンロッド１５２）の先端部を揺動可能に取付けるための連結穴１４２ａが形成されており、その連結穴１４２ａは、長穴状に形成されている。このように長穴状に形成されているので、シリンダー１５０の先端部が揺動可能な遊び１４２ｂを設けることができる。よって、ロック板１２０がバネ具１２０により付勢されて車両１０００の底面１０１０に当接状態となると後述する油圧制御装置１６０によりロック板１２０の位置が保持されるが、例えば車両１０００に人が乗車するなどして車両１０００が沈んだ場合にも、遊び１４２ｂの分、ロック板１２０が横寝するので、車両１０００の底面１０１０が傷ついてしまうことを防止できる。
【００１８】
シリンダー１５０は、筒体１５１内にピストンロッド１５２に結合したピストン１５３を備えたものであって、筒体１５１はピストン１５３によって二つの空間（伸張用空間１５１ａと、収縮用空間１５１ｂ）に仕切られており、伸張用空間１５１ａに油が流入すると（送給されると）、ピストン１５３が伸張方向へ摺動して、結果シリンダー１５０が伸張する。一方、収縮用空間１５１ｂに油が流入すると（送給されると）、ピストン１５３が収縮方向へ摺動して、結果シリンダー１５０が収縮する。このピストンロッド１５２の先端部は、連結具１４０を介してロック板１２０と連結されている。
【００１９】
油圧制御装置１６０は、シリンダー１５０を油圧により駆動するものであり、図６に示すような回路構成を備えている。油圧制御装置１６０は、モーター１６１と、油圧ポンプ１６２と、伸張阻止用パイロットチェック弁１６３と、収縮阻止用パイロットチェック弁１６４と、固定絞り１６５と、リリーフ弁１６６と、油タンク１６７と、補給用チェック弁１６８ａ，１６８ｂと、タイマー１６９と、これらを接続する油路ａ，ｂ，ｃ，ｄ（発明の理解を容易とするために、主要なものにのみ符号を付している。）とによって構成されている。
【００２０】
モーター１６１は、油圧ポンプ１６２に連結されており、回転することにより油圧ポンプ１６２を駆動し、正逆回転可能であって、シリンダー１５０の伸張時と収縮時とでは回転方向が異なるのである。モーター１６１の回転の契機は、検知センサ１１０により車両１０００の駐車が検知された時が開始の契機であり、タイマー１６１が計時終了した時が終了の契機である。油圧ポンプ１６２は、モーター１６１の回転に伴って、油を吐出するものであって、モーター１６１の回転方向に応じて、矢印Ｘ方向又は矢印Ｙ方向へ油を吐出する。そして、油圧ポンプ１６２により吐出される油はシリンダー１５０の伸張用空間１５１ａ又は収縮用空間１５１ｂへ送給され、これにより、シリンダー１５０が伸張し、又は収縮するのである。
【００２１】
伸張阻止用パイロットチェック弁１６３は、油圧ポンプ１６２とシリンダー１５０の収縮用空間１５１ｂとをつなぐ油路ａに配設されており、油圧ポンプ１６２から収縮用空間１５１ｂへの油の流れは許容するが（シリンダー１５０の収縮は許容するが）、収縮用空間１５１ｂからの油の流出は阻止する（シリンダー１５０の伸張は阻止する）。ただし、伸張阻止用パイロットチェック弁１６３は油圧ポンプ１６２から伸張用空間１５１ａ側に油が吐出されるときは、その吐出圧力をパイロット圧力として開弁し、収縮用空間１５１ｂからの油の流出を許容する。
【００２２】
収縮阻止用パイロットチェック弁１６４は、油圧ポンプ１６２とシリンダー１５０の伸張用空間１５１ａとをつなぐ油路ｂに配設されており、油圧ポンプ１６２から伸張用空間１５１ａへの油の流れは許容するが（シリンダー１５０の伸張は許容するが）、伸張用空間１５１ａからの油の流出は阻止する（シリンダー１５０の収縮は阻止する）。ただし、伸張阻止用パイロットチェック弁１６３と同じように、収縮阻止パイロットチェック弁１６４も油圧ポンプ１６２１６３から収縮用空間１５１ｂ側に油が吐出されるときは、その吐出圧力をパイロット圧力として開弁し、伸張用空間１５１ａからの油の流れを許容する。
【００２３】
固定絞り１６５は、油圧ポンプ１６２と伸張用空間１５１ａとをつなぐ油路ｂから分岐して油タンク１６７に連絡する油路ｃに配設されており、油圧ポンプ１６２により矢印Ｘ方向へ油が吐出された場合に、絞り抵抗によって伸張阻止用パイロットチェック弁１６３を開弁させるパイロット圧を発生する。また、固定絞り１６５を通過した油は油タンク１６７へ流れるので、油圧ポンプ１６２より吐出される油によりピストン１５１に作用する推力を極めて小さくする。換言すれば、バネ具１３０のバネ付勢力によるピストン１５１の伸張作用に伴う収縮用空間１５１ａの拡大に応じた分の油を供給することができる程度の低圧力とする。従って、ロック板１２０が起立して車体１０００に当接しても、その押付力は極めて小さく、車両１０００が傷つく等の不具合は生じない。なお、絞り機構は、固定絞り１６５、即ち、固定式の絞りに限られず、可変式の絞り（可変絞り）であっても良い。換言すれば、絞りは、固定式であるか可変式であるかの如何によらない。
【００２４】
リリーフ弁１６６は、油圧ポンプ１６２と収縮用空間１５１ｂとをつなぐ油路ａから分岐する油路ｃに配設されている。リリーフ弁１６６は、油圧ポンプ１６２により油が矢印Ｙ方向へ吐出されて、シリンダ１５０が最収縮状態になっても油圧ポンプ１６２が駆動するような場合に、その吐出圧力が所定値を超えたとき圧力を解放し、機器の損傷を防止する。
【００２５】
補給用チェック弁１６８ａ，１６８ｂは、油圧ポンプ１６２側からの油の流れを防止しつつ、油圧ポンプ１６２側の油が不足した場合に油タンク１６７から油を補給することができる。タイマー１６９は、検知センサ１１０による車両１０００の検知時点からの計時、シリンダー１５０の伸張時間の計時を実行する。
【００２６】
次に、上記のように構成された駐車ロック装置１００の動作について説明する。まず、車両１０００が駐車されていない状況においては、ロック板１２０が横寝状態となっている。次に、車両１０００が駐車スペースに駐車されると、検知センサ１１０が車両１０００の駐車スペースへの駐車を検知し、この契機に応じて、モーター１６１がタイマー１６９による所定時間の計時分、回転する。これにより、油圧ポンプ１６２が駆動して矢印Ｘ方向へ油を吐出すると、伸張阻止用パイロットチェック弁１６３がパイロット圧で開弁し、シリンダー１５０の収縮用空間１５１ｂからの油の流出が許容され、バネ具１３０の弾性性質を利用したバネ付勢力によってロック板１２０が起立する。この起立に伴って、ロック板１２０に連結具１４０を介して連結されているピストンロッド１５２も伸張方向へ摺動してシリンダー１５０が伸張する。ここで、伸張時においては、油圧ポンプ１６２より吐出される油流は、絞り１６５によって油タンク１６７に開放されているために吐出圧力は低圧でシリンダー１５０の伸張に積極的に関与しない。また、収縮用空間１５１ｂから流出された油は油圧ポンプ１６２によって、矢印Ｘ側へ吐出されるとともに、伸張用空間１５１ａで不足する油量は、補給用チェック弁１６８ｂを介して油圧ポンプ１６２により供給される。
【００２７】
モーター１６１の駆動開始時からタイマー１６９による所定時間の計時が終了すると、モーター１６１の駆動が停止される。これにより、車両１０００の如何によって底面１０１０の高さが異なる場合にも、ロック板１２０を底面１０１０に当接させることが可能となる。また、このとき、ロック板１２０の起立は油圧力によるシリンダー１５０の伸張によって行われるのではなくバネ具１３０の弾性性質を利用したバネ付勢力によって行われるので、地面ＧＬから底面１０１０までの距離、すなわち車高の高低に関係なく、ロック板１２０を車両１０００の底面１０１０に当接させることができるとともに（勿論、車高が高くロック板１２０の長さにより当接しない車両１０００もある）、車両１０００の底面１０１０が傷ついてしまうことを防止できる。
【００２８】
また、モーター１６１が停止することによって油圧ポンプ１６２も停止するので、伸張阻止用パイロットチェック弁１６３及び収縮阻止用パイロットチェック弁１６４は開弁し、シリンダー１５０からの油の流出が阻止される。よって、ロック板１２０の位置を保持することが、すなわち、ロック板１２０を車両１０００の底面１０１０へ当接した状態に保持することができるとともに、ロック板１２０が保持されているが故に、料金精算前に無理矢理（不正）に車両１０００を退出さようとしても、ロック板１２０が下がってしまうことを防止することも可能である。
【００２９】
油圧による保持は、料金精算機６００を介した料金精算により解除される。具体的には、料金精算機６００で料金精算するとタイマー１６９による所定時間の計時分、モーター１６１が回転し（伸張時に対して回転が逆）、そのモーター１６１の回転に伴い油圧ポンプ１６２が駆動して、矢印Ｙ方向に油を吐出し、収縮阻止用パイロットチェック弁１６４に対してパイロット圧で開弁する。これにより、伸張阻止用パイロットチェック弁１６３を介してシリンダー１５０の収縮用空間１５１ｂに油が流入して、ピストン１５３を押圧する。この結果、シリンダー１５０がバネ具１３０のバネ付勢力に抗して収縮する。そして、シリンダー１５０が所定長さまで収縮すると、モータ１６１の回転が停止して、ロック板１２０が横寝状態となって、車両１０００が退出可能となる。
【００３０】
以上、実施例に基づき本発明を説明したが、上記実施例は、本発明の趣旨を逸脱しない範囲内で種々の改良変形が可能であることはいうまでもなく、本発明の技術的範囲には、それらの改良変形も含まれる。
【図面の簡単な説明】
【００３１】
【図１】本発明の一実施例である駐車ロック装置が配設された駐車場の平面図である。
【図２】上記駐車ロック装置の概略平面図である。
【図３】駐車ロック装置の概略側方断面図であり、詳細には、（ａ）は図２のＡ−Ａ断面図であり、（ｂ）は図２のＢ−Ｂ断面図である。
【図４】上記駐車ロック装置を構成するロック板が車両の車高の如何に関わらず底面１０１０に当接している様子を示す図であり、（ａ）は車高の高い車両に当接している状態を示し、（ｂ）は車高の低い車両に当接している状態を示す。勿論、車高の高さは相対的なものである。
【図５】車重の変化によって上記駐車ロック装置を構成するロック板が揺動する様子を示す図であり、（ａ）は、車両が沈む前のロック板の当接の様子を示す図であり、（ｂ）は車両が沈んだ後のロック板の当接の様子を示す図である。
【図６】上記駐車ロック装置を構成する油圧制御装置の回路図である。
【符号の説明】
【００３２】
１００              駐車ロック装置
１１０              検知センサ
１２０              ロック板
１３０              バネ具
１４０              連結具
１４１              （連結具の）連結ロッド
１４２              （連結具の）連結カム
１４２ａ            連結穴
１４２ｂ            遊び
１５０              シリンダー
１５１              筒体
１５１ａ            伸張用空間
１５１ｂ            収縮用空間
１５２              ピストン
１６０              油圧制御装置
１６１              モーター
１６２              油圧ポンプ１６２
１６３              伸張阻止用パイロットチェック弁
１６４              収縮阻止用パイロットチェック弁
１６５              固定絞り
１６６              リリーフ弁
１６７              油タンク
１６８ａ，１６８ｂ  補給用チェック弁
１６９              タイマー
１７０              箱体
５００              駐車スペース
５０１              （駐車スペースの）枠線
６００              料金精算機
１０００            車両
１０１０            （車両の）底面
ＧＬ                地面
【図１】
2005207165.tif 000003
【図２】
2005207165.tif 000004
【図３】
2005207165.tif 000005
【図４】
2005207165.tif 000006
【図５】
2005207165.tif 000007
【図６】
2005207165.tif 000008